(57)【特許請求の範囲】
【請求項１】
開口部を有する本体と、この本体内に収納可能であり、本体の開口部に着脱自在にヒンジ連結されると共に本体の開口部を開閉する給気体とを備え、
前記本体は、洗浄水を入れるタンク室と、このタンク室に連通し、洗浄水を噴射するノズルと、前記タンク室とは仕切られ、前記ノズルを収容するノズル収容室とを有し、
前記給気体は、前記本体のタンク室に対して開口部を通じて出入可能であり、タンク室内に空気を圧入することでタンク室内の洗浄水を前記ノズルに圧送するエアポンプと、このエアポンプを駆動する電池とを有し、
前記給気体が本体の開口部にヒンジ連結されて開口部を閉じたときは、この給気体により開口部が外部と遮断された状態になり、この状態で前記エアポンプ作動時には、空気が前記給気体内部から前記本体のタンク室内に圧入されることを特徴とする携帯用洗浄器。
【請求項２】
前記給気体は本体のタンク室に対してスライド可能に出入することを特徴とする請求項１記載の携帯用洗浄器。
【請求項３】
前記ノズルは本体のノズル収容室に対してスライド可能に出入することを特徴とする請求項１又は請求項２記載の携帯用洗浄器。
【請求項４】
前記本体のタンク室とノズルは可撓性のチューブで連結され、前記本体のノズル収容室は挟持部材を有し、前記チューブは、ノズルをノズル収容室に収容したときにノズルと挟持部材により挟持・閉鎖され、ノズルをノズル収容室から出したときに開放されることを特徴とする請求項１、請求項２又は請求項３記載の携帯用洗浄器。
【請求項５】
前記給気体は、その内部に、本体のタンク室に対してスライド出入するときにタンク室内の空気が出入する流路としての可撓性のチューブと、挟持部材と、外部に、エアポンプをＯＮ／ＯＦＦするためのスイッチとを有し、前記チューブは、スイッチを押してエアポンプをＯＮにしたときにスイッチと挟持部材により挟持・閉鎖され、スイッチを押すのを止めてエアポンプをＯＦＦにしたときに開放されることを特徴とする請求項２、請求項３又は請求項４記載の携帯用洗浄器。
【請求項６】
前記本体のタンク室はノズル収容室に連通する開口を有し、前記ノズルはタンク室の開口に対向する側に開口を有し、前記タンク室の開口は、ノズルをノズル収容室に収容したときにノズルにより閉鎖され、ノズルをノズル収容室から出したときにノズルの開口と連通することを特徴とする請求項１、請求項２、請求項３又は請求項５記載の携帯用洗浄器。
【請求項７】
前記ノズルは、タンク室の開口に対向する側にノズルの長手方向に延びる溝を有することを特徴とする請求項６記載の携帯用洗浄器。
【発明の詳細な説明】
【０００１】
【発明の属する技術分野】
本発明は、外出中での用便後の肛門洗浄や生理後の局部洗浄等に使用する携帯用洗浄器に関する。
【０００２】
【従来の技術】
この種の携帯用洗浄器としては様々なものがあるが、一般的には、洗浄水（水）を入れるタンクと、洗浄水を噴射するノズルと、タンク内の洗浄水をノズルに圧送するポンプと、ポンプを駆動する電池とを備える。この基本構成に加えて、ノズルを洗浄器本体に対してスライド式とすると共に本体に収納可能とし、使用時にはノズルを本体から引き出すようにしたものもある。
【０００３】
或いは、電池で駆動する電動式のポンプの代わりに、手動式のエアポンプを用いた洗浄器もある（例えば特開平３−２０７３７３号公報、特開平３−２９５５１９号公報、特開平５−２５３０９１号公報）。これらの洗浄器は、電池の消耗や電池消耗による噴射力の低下等の問題を解決することを狙ったもので、手動式のエアポンプ（例えばシリンダとピストンで構成されるもの）により空気室に空気を圧入して空気室を加圧し、この加圧空気をタンク内に注入することで、タンク内の洗浄水をノズルから噴射するものである。
【０００４】
【発明が解決しようとする課題】
従来の携帯用洗浄器は、ポンプとして歯車ポンプ、往復ポンプ、うず巻ポンプ、軸流ポンプ等が使用されているが、いずれもポンプでタンク内の洗浄水を吸水して、ノズルに圧送する形式であるため、洗浄水の吸水・圧送機構が複雑且つ大型になり、洗浄器の小型化・軽量化には限度がある。このため、従来の吸水・圧送機構では、携帯に便利なように一段の小型化・軽量化を実現するのは極めて困難である。又、その吸水・圧送構造からしてタンク内の洗浄水を最後まで吸水し難く、洗浄水がタンクや機構内に残留し易い。更に、吸水・圧送機構は、機械的部品点数も多いことから、コストの削減にも不利である。
【０００５】
又、手動式のエアポンプを使用した洗浄器では、電池の消耗を心配する必要がないが、洗浄時にエアポンプを一々手動で操作する必要があり、操作が面倒であるばかりか、エアポンプ自体もその構造、操作性、加圧力等から或る程度の大型のものにならざるを得ず、洗浄器の小型化・軽量化の点では不利である。しかも、エアポンプから空気室及びタンクに至る一連の空気流路に各種バルブを設ける必要があるなど、これも機構的に複雑になる要因となっている。
【０００６】
従って、本発明は、そのような従来の問題点に着目してなされたもので、より一層の小型化・軽量化、低価格化、静音化、効率の良い洗浄水噴射等を実現する携帯用洗浄器を提供することを目的とする。
【０００７】
【課題を解決するための手段】
前記目的を達成するために、本発明の請求項１の携帯用洗浄器は、開口部を有する本体と、この本体内に収納可能であり、本体の開口部に着脱自在にヒンジ連結されると共に本体の開口部を開閉する給気体とを備え、前記本体は、洗浄水を入れるタンク室と、このタンク室に連通し、洗浄水を噴射するノズルと、前記タンク室とは仕切られ、前記ノズルを収容するノズル収容室とを有し、前記給気体は、前記本体のタンク室に対して開口部を通じて出入可能であり、タンク室内に空気を圧入することでタンク室内の洗浄水を前記ノズルに圧送するエアポンプと、このエアポンプを駆動する電池とを有し、前記給気体が本体の開口部にヒンジ連結されて開口部を閉じたときは、この給気体により開口部が外部と遮断された状態になり、この状態で前記エアポンプ作動時には、空気が前記給気体内部から前記本体のタンク室内に圧入されることを特徴とする。
【０００８】
この洗浄器では、洗浄水を吸水・圧送する従来の機構とは異なり、電動式のエアポンプにより洗浄水を噴射する機構であるため、より一層の小型化・軽量化、低価格化を実現できる。即ち、エアポンプ自体は非常に小型であり、機構的にもエアポンプからの空気がタンクに圧入されるようにすればよく、エアポンプ以外の機構部品は特に必要なく、構造が非常に簡素になり、小型化・軽量化及び静音化を達成できるだけでなく、部品点数の削減及び低価格化を達成できる。
【０００９】
しかも、部品点数が少ないため、故障が少なく、信頼性が高い。その上、電動式のエアポンプでタンク内に空気を圧入する形式であるため、通常の電動式のポンプを使用したものに比べて、タンク内の洗浄水を最後まで使用することが可能となる上に、機構内に残る洗浄水が少なくなる。
【００１０】
その上、本体はタンク室とノズル収容室を有し、しかもエアポンプと電池を有する給気体は本体に対して着脱自在であるから、電気的要素を有する給気体を本体から外せば、本体（タンク室とノズル）を丸洗いすることが可能となり、非常に衛生的である。
【００１１】
又、給気体が本体のタンク室に対してスライド可能に出入すること（請求項２）により、本体に対する給気体の収納が容易となると共に、給気体を開ければ本体の開口部が現れ、本体のタンク室に洗浄水を入れ易く、しかも給気体は本体に付いたままであるから、取扱いが便利となる。
ノズルが本体のノズル収容室に対してスライド可能に出入すること（請求項３）により、ノズルを直接触らなくてもノズル収容室に対し出入できるようになるので、清潔である。
【００１２】
本体のタンク室とノズルが可撓性のチューブで連結され、本体のノズル収容室が挟持部材を有し、チューブが、ノズルをノズル収容室に収容したときにノズルと挟持部材により挟持・閉鎖され、ノズルをノズル収容室から出したときに開放されること（請求項４）により、未使用時にタンク室内の洗浄水がチューブを介してノズルから漏れてしまうようなことがない。しかも、その機構は簡素である。
【００１３】
給気体が、内部に、本体のタンク室に対してスライド出入するときにタンク室内の空気が出入する流路としての可撓性のチューブと、挟持部材と、外部に、エアポンプをＯＮ／ＯＦＦするためのスイッチとを有し、チューブが、スイッチを押してエアポンプをＯＮにしたときにスイッチと挟持部材により挟持・閉鎖され、スイッチを押すのを止めてエアポンプをＯＦＦにしたときに開放されること（請求項５）により、本体に対する給気体の出入をスムーズに行うことができる。つまり、本体のタンク室内には空気が存在するが、本体から給気体を引き出すときは、タンク室内に空気が入らないと、負圧により本体から給気体をスムーズに出すことができない。反対に、タンク室内に給気体を押し込むときは、タンク室内の空気が外部に逃げないと、本体に給気体をスムーズに入れることができない。
【００１４】
そこで、上記構成とすることで、未使用時（スイッチを押していない状態の時）にはチューブが開放されているため、本体のタンク室と外部はチューブを介して連通し、タンク室内と室外に対し空気がチューブを通じて出入する。このため、タンク室から給気体を引き出すときや、タンク室に給気体を押し込むときに、空気抵抗を受けずに給気体の出入をスムーズに行うことができる。しかも、スイッチＯＮ（エアポンプＯＮ）の状態からスイッチＯＦＦ（エアポンプＯＦＦ）にしたときに、チューブの開放によりタンク室内の圧力が直ぐに外圧にほぼ等しくなるので、ノズルからの噴射が素早く停止し、水切りが良くなる。
【００１５】
本体のタンク室がノズル収容室に連通する開口を有し、ノズルがタンク室の開口に対向する側に開口を有し、タンク室の開口が、ノズルをノズル収容室に収容したときにノズルにより閉鎖され、ノズルをノズル収容室から出したときにノズルの開口と連通すること（請求項６）により、請求項４と同様に、未使用時にタンク室内の洗浄水がタンク室の開口からノズル収容室に漏れることはない。
【００１６】
ノズルが、タンク室の開口に対向する側にノズルの長手方向に延びる溝を有すること（請求項７）により、洗浄水の噴射前にノズルをノズル収容室から出すときに、エアポンプによるタンク室内の残圧を溝に逃すことができる。
【００１７】
【発明の実施の形態】
以下、本発明を実施の形態に基づいて説明する。
第１の実施形態に係る携帯用洗浄器の外観平面図（本体から給気体とノズルを出した状態）を図１に、図１の矢視Ａ１，Ａ２から見た側面図をそれぞれ図２の（ａ），（ｂ）に、図１の矢視Ａ３，Ａ４から見た側面図をそれぞれ図３の（ａ），（ｂ）に示す。又、内部構造を模式的に示す要部断面図を図４に、図４の矢視Ａ５，Ａ６から見た要部断面図をそれぞれ図５の（ａ），（ｂ）に示す。
【００１８】
この実施形態の洗浄器の本体１Ａは、そのケーシング１１内に、洗浄水を入れるタンク室１０と、タンク室１０に連通し、洗浄水の噴射孔２１ａを持つノズル２１と、ノズル２１をスライド可能に出入・収容できるノズル収容室２０と、タンク室１０に対して洗浄水及び給気体２Ａを出入すると共に、給気体２Ａが着脱自在に取付けられる開口部（本体１Ａと給気体２Ａの連結部分）とを有する。タンク室１０とノズル収容室２０は隔壁により仕切られ、タンク室１０内の洗浄水がノズル収容室２０に浸入しないようになっている。
【００１９】
ノズル２１は、タンク室１０の先端側に設けられた取水口１０ａとノズル２１の基端側とが可撓性のチューブ２３で接続されることで、タンク室１０に連通している。ノズル２１の基端側にはツマミ２４が取付けられ、ツマミ２４はケーシング１１に形成された長尺状のスリット２５にスライド可能に嵌挿されている。従って、ツマミ２４を図面の左右方向にスライドさせることで、ノズル２１を直接触らずにノズル収容室２０に対して出入させることができる。
【００２０】
この実施形態では、図８に模式的に示すように、ノズル収容室２０には挟持部材としてのボス２６が好ましくは回転可能に設けられている。図８の（ａ）において、ノズル２１がノズル収容室２０に収容されている状態では、チューブ２３はノズル２１とボス２６で挟持・閉鎖される。図８の（ｂ）に示すように、ノズル２１をノズル収容室２０から出すと、チューブ２３はノズル２１とボス２６との挟持状態から解除されて開放される。このため、ノズル２１の収容状態では、タンク室１０の洗浄水はチューブ２３を通じてノズル２１から漏れず、ノズル２１を出せば洗浄水の噴射が可能な状態となる。
【００２１】
本体１Ａのタンク室１０内に出入可能に収納される給気体２Ａは、そのケーシング４０内に、タンク室１０内に空気を圧入するエアポンプ３０と、エアポンプ３０を駆動する電池（例えば単４形乾電池、充電池でもよい）３１とを有する。エアポンプ３０は、それ自体は非常に小型のもので、そのエア噴出口３０ａがケーシング４０から突出して本体１Ａのタンク室１０に臨出するように、ケーシング４０に気密に固定されている。
【００２２】
ケーシング４０には押しボタン式スイッチ３２が設けられている。図面には詳しく示されていないが、エアポンプ３０、電池３１及びスイッチ３２はリード線等により適切に配線され、スイッチ３２を押したときにエアポンプ３０が作動し、スイッチ３２を押すのを止めるとエアポンプ３０が停止するようになっている。
【００２３】
又、この実施形態では、一端がタンク室１０に連通し、他端がケーシング４０の外部に連通する可撓性のチューブ３３が設けられている。このチューブ３３は、給気体２Ａがタンク室１０に対してスライド出入するときにタンク室１０内の空気を出入させるための流路となるものである。チューブ３３は、スイッチ３２に近接して配置された挟持部材としてのボス３４とスイッチ３２との間を通過し、スイッチ３２を押していないとき（図４の状態のとき）は、スイッチ３２とボス３４で挟持されずに開放され、スイッチ３２を押したときは、スイッチ３２とボス３４で挟持・閉鎖されるようになっている。
【００２４】
従って、洗浄水の噴射時以外はスイッチ３２を押さないので、タンク室１０から給気体２Ａを引き出すときは、チューブ３３を通じて空気がタンク室１０に進入し、タンク室１０に給気体２Ａを押し込むときは、チューブ３３を通じてタンク室１０内の空気が外部に出る。このため、空気抵抗を受けずにタンク室１０に対する給気体２Ａの出入を容易に行うことができる。スイッチ３２を押したときは、チューブ３３が閉鎖されるので、エアポンプ３０によりタンク室１０に注入された空気がチューブ３３を通じて外部に逃げることはない。
【００２５】
しかも、スイッチ３２がＯＮ（エアポンプ３０がＯＮ）の状態からスイッチ３２をＯＦＦ（エアポンプ３０をＯＦＦ）にした場合、チューブ３３の開放によりタンク室１０内の圧力が直ぐにほぼ外圧に等しくなるので、ノズル２１からの噴射が素早く停止し、水切りが良くなる。
給気体２Ａのケーシング４０には、本体１Ａの開口部を開閉するタンクフタ４１が設けられ、このタンクフタ４１は、本体１Ａのケーシング１１に設けられたヒンジ４２によりケーシング１１に着脱自在且つ開閉可能に取付けられている。ヒンジ４２とは反対側のタンクフタ４１の部分には、ケーシング１１と係合するツメ４３が設けられ、ツメ４３を操作すればタンクフタ４１を開けることができる。
【００２６】
ケーシング４０の頭部にはカバー５０が気密に嵌合され、カバー５０は電池フタ５１を有する。電池フタ５１を開ければ、電池３１の交換を容易に行うことができる。又、カバー５０は、給気体２Ａをタンク室１０から引き出す際に利用する引張部材（図６の符号５３参照）が取付けられる突起５２を有する。なお、引張部材としては、紐、チェーン等の給気体２Ａを容易に引っ張り出すことができるものであれば何でもよい。
【００２７】
次に、上記のように構成した洗浄器の使用について図６及び図７を参照して説明する。但し、図６及び図７では構造を簡潔に示してある。図６の（ａ）において、未使用時には、給気体２Ａは本体１Ａのタンク室１０内に収納されると共に、ノズル２１はノズル収容室２０内に収納されている。使用時は、図６の（ｂ）に示すように、引張部材５３を持って給気体２Ａを本体１Ａのタンク室１０から引き出す。次いで、ツメ４３を操作してタンクフタ４１（即ち給気体２Ａ）を開け、本体１Ａの開口部を現出させ、タンク室１０に洗浄水（水）を入れる。水を入れた後、タンクフタ４１を閉め、ツマミ２４をスライドさせてノズル２１をノズル収容室２０から出す〔図６の（ｃ）参照〕。ノズル２１を出せば、前記したようにノズル収容室２０内のチューブ２３が開放される。
【００２８】
そして、スイッチ３２を押せば、エアポンプ３０が作動し、エアポンプ３０からの空気がタンク室１０に注入され、その空気圧によりタンク室１０内の水がチューブ２３を介してノズル２１から噴射される（図７参照）。この時、給気体２Ａ内のチューブ３３は、前記したようにスイッチ３２とボス３４により挟持・閉鎖されている。洗浄後にタンク室１０内に水が残っているときは、ノズル２１から噴射させるか、又はタンクフタ４１を開けるかして、タンク室１０内の水を全部排出した後、ツマミ２４をスライドさせてノズル２１をノズル収容室２０に収納し、給気体２Ａをタンク室１０に押し込めばよい。
【００２９】
上記洗浄器を洗浄する場合は、タンク室１０及びノズル収容室２０を有する本体１Ａと、エアポンプ３０、電池３１及びスイッチ３２等の電気的要素を有する給気体２Ａが分離しているので、給気体２Ａを本体１Ａから取り外せば、本体１Ａを丸洗いすることができる。このため、タンク室１０内、ノズル２１及びノズル収容室２０内を十分に且つ容易に洗浄することができ、水関係の部品を清潔に維持することができる。
【００３０】
第２の実施形態に係る携帯用洗浄器の本体の要部断面図を図９に、図９の矢視Ｂ１から見た要部断面図を図１０に、図９の矢視Ｂ２から見た要部断面図を図１１（但し、ノズルは示さず）に示す。又、給気体の要部断面図を図１２に、図１２の矢視Ｂ３から見た要部断面図を図１３に、図１２の矢視Ｂ４から見た要部断面図を図１４に示す。
【００３１】
この実施形態の洗浄器における本体１Ｂは、そのケーシング６１内に、洗浄水を入れるタンク室６０と、タンク室６０に連通し、洗浄水の噴射孔７１ａを持つノズル７１と、ノズル７１、即ちノズル７１に連結された筒７２を収容するノズル収容室７０と、タンク室６０に対して洗浄水を出入すると共に、給気体２Ｂが着脱自在に取付けられる開口部８０とを有する。タンク室６０とノズル収容室７０は隔壁により仕切られ、タンク室６０内の洗浄水がノズル収容室７０に浸入しないようになっている。
【００３２】
この実施形態では、ノズル７１は１８０°折り畳むようになっており、折り畳んだ状態で本体１Ｂのケーシング６１に沿って仕舞われる。ノズル収容室７０には筒７２が収容され、この筒７２の端部には回転支持軸７３が取付けられ、回転支持軸７３にノズル７１の基端が取付けられている。回転支持軸７３は、タンク室６０内に気密に突出し、その突出部分に取水口７３ａと、内部に取水口７３ａに連通する流路とを有する。
【００３３】
ノズル７１内の流路は回転支持軸７３内の流路と連通するようになっている。この連通機構は、周知のものであり、ノズル７１が折り畳まれた状態から或る一定角度以上開くと、ノズル７１内の流路と回転支持軸７３内の流路が連通するようになっている。従って、ノズル７１を折り畳んだ状態では、タンク室６０内の洗浄水はノズル７１には流入せず、携帯時等にノズル７１から洗浄水が漏れない。
【００３４】
開口部８０は、ケーシング６１から延びる内側部材８１と、この内側部材８１に係合する外側部材８２とを有し、部材８１，８２の間にはリング状のパッキン８３が設けられている。外側部材８２は、ケーシング６１にヒンジ８４により開閉可能に取付けられ、ヒンジ８４とは反対側に設けられたボタン８５を押すことで開くようになっている。
【００３５】
本体１Ｂの開口部８０に着脱自在に取付けられる給気体２Ｂは、本体１Ｂのタンク室６０に空気を圧入するエアポンプ９０と、エアポンプ９０を駆動する電池（例えば単４形乾電池、充電池でもよい）１００とを有する。エアポンプ９０のエア噴出口９１は、給気体２Ｂ内に隔壁１１０により形成された流路１１１に気密に嵌挿され、エア噴出口９１から出た空気が流路１１１に流出するようになっている。隔壁１１０と給気体２Ｂのケーシング１２０との間にはリング状のパッキン１１２が設けられ、流路１１１内の空気や洗浄水が流路１１１の外部に漏れないようになっている。隔壁１１０には空気の出入口１１３が形成されると共に、流路１１１には洗浄水の逆流を防止するボールバルブ１１４が設けられている。
【００３６】
ケーシング１２０の後側には押しボタン式スイッチ１２１が取付けられ、スイッチ１２１を押すとエアポンプ９０がＯＮとなり、スイッチ１２１を押すのを止めるとエアポンプ９０がＯＦＦとなる。スイッチ１２１はケーシング１２０内に臨出する押圧部材１２２を有し、押圧部材１２２はスイッチ１２１を押す動作に伴って前後方向（図１２の左右方向）に変位する。
【００３７】
流路１１１の出入口１１３にはチューブ１１５の一端が嵌め込まれ、チューブ１１５はケーシング１２０の後側に延び、スイッチ１２１の押圧部材１２２に軽く接触して９０°方向転換している。チューブ１１５の他端は、給気体２Ｂ内に開放されるか、又はケーシング１２０の適所に形成された開口を介してケーシング１２０の外部に通じている。チューブ１１５は、スイッチ１２１が押されないとき（図１２の状態）は開放され、スイッチ１２１が押されたときは押圧部材１２２により押圧・閉鎖されるようになっている。従って、スイッチ１２１が押されないときは、流路１１１はチューブ１１５を介して流路１１１の外部と連通し、スイッチ１２１が押されたときは、流路１１１は外部と連通しない。
【００３８】
エアポンプ９０、電池１００及びスイッチ１２１は、図面には詳細に示されていないが、端子１２５、金具１２６及びリード線（図示せず）等により適切に配線されている。又、本体１Ｂの開口部８０に接面するケーシング１２０の部分には、リング状のパッキン１３０が設けられている。
次に、上記のように構成した洗浄器の使用について説明する。未使用時には、給気体２Ｂは本体１Ｂのタンク室６０内に収納され、ノズル７１は折り畳まれている。使用時には、本体１Ｂの外側部材８２を開けて、タンク室６０内の給気体２Ｂを取り出し、外側部材８２を閉めてからタンク室６０に水を入れる。その後、給気体２Ｂを本体１Ｂの開口部８０に嵌め込む。
【００３９】
これにより、給気体２Ｂ側のパッキン１３０が本体１Ｂ側の外側部材８２の内周面に密着し、タンク室６０と流路１１１が連通する。この時、タンク室６０内の空気が圧縮されるが、流路１１１はチューブ１１５を介して外部に連通しているので、タンク室６０内の空気は流路１１１及びチューブ１１５を通じて外部に逃げ、給気体２Ｂの嵌め込みは空気抵抗を受けずにスムーズに行うことができる。
【００４０】
そして、ノズル７１を延ばし、スイッチ１２１を押すと、エアポンプ９０が作動し、空気が流路１１１からタンク室６０内に圧入される。この時、スイッチ１２１が押されているため、チューブ１１５は閉鎖されており、空気はチューブ１１５を通じて外部に逃げない。従って、タンク室６０内の水は、空気圧により回転支持軸７３の取水口７３ａからノズル７１内に流入し、ノズル７１の噴射孔７１ａから噴射する。
【００４１】
第３の実施形態に係る携帯用洗浄器の要部断面図（本体１Ａから給気体２Ａとノズル２１を出した状態）を図１５に示す。この洗浄器は、第１の実施形態の洗浄器と外観形状及び内部構造がほぼ同じであり、従って同じ要素には同一符号を付してある。細部の形状等を除いて第１の実施形態と主に異なる点は、本体１Ａのタンク室１０がノズル収容室２０に連通する開口（取水口）１０ａを有し、この開口１０ａに弾性のパッキン２７が取付けられている点、ノズル２１が開口１０ａに対向する側（基端側）に開口２１ｃを有する点、ノズル２１が開口１０ａに対向する側（中央寄り側）にノズル２１の長手方向に延びる溝２１ｂを有する点、及び給気体２Ａのチューブ３３がタンク室１０に連通する部分にフィルタ（水を通さないもの、例えば商品名：ミクロテックス）３７が設けられている点である。
【００４２】
この洗浄器において、ノズル２１をノズル収容室２０に収容した状態では、パッキン２７とノズル２１が適度に密接して、タンク室１０の開口１０ａがノズル２１によって閉鎖されるので、タンク室１０内の洗浄水がノズル収容室２０に漏れるようなことはない。洗浄水を噴射するときは、ノズル２１をノズル収容室２０から出せば、タンク室１０の開口１０ａとノズル２１の開口２１ｃが連通し、タンク室１０内の洗浄水が開口１０ａ，２１ｃを通じてノズル２１に流入する。噴射前にノズル２１をノズル収容室２０から出す場合、ノズル２１の溝２１ｂが開口１０ａを通過するときに、エアポンプ３０によるタンク室１０内の残圧が溝２１ｂに逃げ、ノズル２１を完全に仕舞えば、開口１０ａはノズル２１により塞がれる。
【００４３】
又、チューブ３３の端部にフィルタ３７が設けられているので、洗浄水がチューブ３３に逆流するようなことはなく、空気だけがフィルタ３７を通って出入する。
なお、この実施形態において、溝２１ｂは、ノズル２１をノズル収容室２０から出すときにタンク室１０内の残圧を逃すためのものであるため、できるだけノズル２１の長手方向に長く設けるのが好ましい。更には、図１５では給気体２Ａにチューブ３３が設けられているが、チューブ３３は必ずしも必要ではなく、無くても構わない。但し、この場合、本体１Ａに対して給気体２Ａを容易にスライド出入できるように、空気の出入路として、本体１Ａと給気体２Ａとの連結部分に隙間を設けておくのが望ましい。
【００４４】
【発明の効果】
以上説明したように、本発明の請求項１の携帯用洗浄器によれば、洗浄水を吸水・圧送する従来の機構とは異なり、電動式のエアポンプにより洗浄水を噴射する機構であるため、より一層の小型化・軽量化、低価格化を実現できる。即ち、エアポンプ自体は非常に小型であり、機構的にもエアポンプからの空気がタンクに圧入されるようにすればよく、エアポンプ以外の機構部品は特に必要なく、構造が非常に簡素になり、小型化・軽量化及び静音化を達成できるだけでなく、部品点数の削減及び低価格化を達成できる。しかも、部品点数が少ないため、故障が少なく、信頼性が高い。その上、電動式のエアポンプでタンク内に空気を圧入する形式であるため、通常の電動式のポンプを使用したものに比べて、タンク内の洗浄水を最後まで使用することが可能となる上に、機構内に残留する洗浄水が少なくなる。
【００４５】
また、本体はタンク室とノズル収容室を有し、しかもエアポンプと電池を有する給気体は本体に対して着脱自在にヒンジ連結されているから、電気的要素を有する給気体を本体から外せば、本体（タンク室とノズル）を丸洗いすることが可能となり、非常に衛生的である。その上、給気体を開ければ本体の開口部が現れ、本体のタンク室に洗浄水を入れ易く、しかも給気体は本体に付いたままであるから、取扱いが便利となる。
【００４６】
請求項２の洗浄器によれば、本体に対する給気体の収納が容易となる。
請求項３の洗浄器によれば、ノズルを直接触らなくてもノズル収容室に対し出入できるようになるので、清潔である。
【００４７】
請求項４の洗浄器によれば、未使用時にタンク室内の洗浄水がチューブを介してノズルから漏れてしまうようなことがない。しかも、その機構は簡素である。
請求項５の洗浄器によれば、タンク室から給気体を引き出すときや、タンク室に給気体を押し込むときに、空気抵抗を受けずに給気体の出入をスムーズに行うことができる。しかも、スイッチＯＮの状態からスイッチＯＦＦにしたときに、ノズルからの噴射が素早く停止し、水切りが良くなる。
【００４８】
請求項６の洗浄器によれば、未使用時にタンク室内の洗浄水がタンク室の開口を通じてノズル収容室に漏れることはない。
請求項７の洗浄器によれば、洗浄水の噴射前にノズルをノズル収容室から出すときに、エアポンプによるタンク室内の残圧を溝に逃すことができる。
【図面の簡単な説明】
【図１】第１の実施形態に係る洗浄器の外観平面図である。
【図２】図１の洗浄器を矢視Ａ１から見た側面図（ａ）、及び矢視Ａ２から見た側面図（ｂ）である。
【図３】図１の洗浄器を矢視Ａ３から見た側面図（ａ）、及び矢視Ａ４から見た側面図（ｂ）である。
【図４】同実施形態に係る洗浄器の内部構造を模式的に示す要部断面図である。
【図５】図４の洗浄器を矢視Ａ５から見た要部断面図（ａ）、及び矢視Ａ６から見た要部断面図（ｂ）である。
【図６】同実施形態に係る洗浄器の使用について説明するための図である。
【図７】同実施形態に係る洗浄器の使用について説明するための図６に続く図である。
【図８】同実施形態に係る洗浄器のノズルの位置に対するチューブの形態について説明するための図である。
【図９】第２の実施形態に係る洗浄器の本体の要部断面図である。
【図１０】図９の本体を矢視Ｂ１から見た要部断面図である。
【図１１】図９の本体を矢視Ｂ２から見た要部断面図である。
【図１２】同実施形態に係る洗浄器の給気体の要部断面図である。
【図１３】図１２の給気体を矢視Ｂ３から見た要部断面図である。
【図１４】図１２の給気体を矢視Ｂ４から見た要部断面図である。
【図１５】第３の実施形態に係る洗浄器の要部断面図である。
【符号の説明】
１Ａ，１Ｂ      本体
２Ａ，２Ｂ      給気体
１０，６０      タンク室
１０ａ          開口（取水口）
２０，７０      ノズル収容室
２１，７１      ノズル
２１ｂ          溝
２１ｃ          開口
２３            洗浄水用チューブ
２６，３４      挟持部材
３０，９０      エアポンプ
３１，１００    電池
３３，１１５    空気出入用チューブ
３２，１２１    押しボタン式スイッチ
８０            開口部
【図１】
0003909111.tif 000002
【図２】
0003909111.tif 000003
【図３】
0003909111.tif 000004
【図４】
0003909111.tif 000005
【図５】
0003909111.tif 000006
【図６】
0003909111.tif 000007
【図７】
0003909111.tif 000008
【図８】
0003909111.tif 000009
【図９】
0003909111.tif 000010
【図１０】
0003909111.tif 000011
【図１１】
0003909111.tif 000012
【図１２】
0003909111.tif 000013
【図１３】
0003909111.tif 000014
【図１４】
0003909111.tif 000015
【図１５】
0003909111.tif 000016